(57)【要約】  【課題】  細かい設定の調整の必要をなくすことのできる投射型映像表示装置を提供すること。  【解決手段】  投射型映像表示装置１０２は、設置状態を検出する設置検出手段と、スクリーンに映像を投射する映像投射手段と、設置状態に対応した設定パラメータを格納する設定格納手段と、設定格納手段を参照し、設置検出手段によって検出された設置状態に対応する設定パラメータに基づいて制御信号を生成する制御手段とを備え、制御手段によって生成された制御信号により映像投射手段を制御する。【選択図】  図１
2006106579.tif 000002
【特許請求の範囲】
【請求項１】
設置状態を検出する設置検出手段と、
スクリーンに映像を投射する映像投射手段と、
前記設置状態に対応した設定パラメータを格納する設定格納手段と、
前記設定格納手段を参照し、前記設置検出手段によって検出された設置状態に対応する設定パラメータに基づいて制御信号を生成する制御手段とを備え、
前記制御手段によって生成された制御信号により前記映像投射手段を制御するようにしたことを特徴とする投射型映像表示装置。
【請求項２】
前記映像投射手段は、映像信号を生成する映像信号生成部と、投射光を生成する投射光生成部とを有し、前記制御手段は、前記制御信号により映像信号生成部および投射光生成部を制御するようにしたことを特徴とする請求項１に記載の投射型映像表示装置。
【請求項３】
ファンを駆動する駆動モータ部をさらに有することを特徴とする請求項１又は請求項２に記載の投射型映像表示装置。
【請求項４】
前記設定格納手段には、初期データとして既に設定パラメータが格納されていることを特徴とする請求項１から請求項３までのいずれかに記載の投射型映像表示装置。
【請求項５】
前記設定格納手段に既に格納されている設定パラメータの変更および前記設定格納手段への新たな設定パラメータの追加のうち少なくともいずれか一方を行う設定変更入力手段を有することを特徴とする請求項１から請求項４までのいずれかに記載の投射型映像表示装置。
【請求項６】
前記設定格納手段には、少なくとも透過型および反射型のスクリーンのうちいずれか一方に対応した設定パラメータが格納されていることを特徴とする請求項１から請求項５までのいずれかに記載の投射型映像表示装置。
【請求項７】
前記設定格納手段には、前記駆動モータ部の回転速度を表す設定パラメータが格納されていることを特徴とする請求項３から請求項６までのいずれかに記載の投射型映像表示装置。
【請求項８】
前記設定格納手段には、前記映像を投射する際の明るさのパラメータを含めた設定パラメータが格納されていることを特徴とする請求項１から請求項７までのいずれかに記載の投射型映像表示装置。
【請求項９】
前記設定格納手段には、映像を投射する際の焦点距離のパラメータを含めた設定パラメータが格納されていることを特徴とする請求項１から請求項８までのいずれかに記載の投射型映像表示装置。
【請求項１０】
前記設定格納手段には、映像を投射する際の台形補正のパラメータを含めた設定パラメータが格納されていることを特徴とする請求項１から請求項９までのいずれかに記載の投射型映像表示装置。
【請求項１１】
スクリーンに映像を投射する投射型映像表示方法であって、
投射型映像表示装置の設置状態に対応した設定パラメータを格納する設定格納ステップと、
前記投射型映像表示装置の設置状態を検出する検出ステップと、
前記検出ステップにおいて検出された設置状態に対応した設定パラメータを参照し、参照した設定パラメータに基づいて、前記スクリーンに映像を投射する映像投射手段を制御する制御ステップとを含むことを特徴とする投射型映像表示方法。
【請求項１２】
スクリーンに映像を投射する投射型映像表示装置と、車両に設けられ、前記投射型映像表示装置の設置状態を検出する設置検出装置とを備えた投射型映像表示システムであって、
前記設置検出装置は、前記投射型映像表示装置の前記車両への設置状態を検出する設置検出手段と、前記設置状態に対応した設定パラメータを格納する自動車条件データ部と、前記自動車条件データ部を参照し、前記設置検出手段によって検出された設置状態に対応する設定パラメータに基づいて制御信号を生成する第１の制御手段とを有し、
前記投射型映像表示装置は、前記スクリーンに映像を投射する映像投射手段と、屋内の設置状態に対応した設定パラメータを格納する屋内条件データ部と、前記第１の制御手段によって生成された制御信号が入力された場合には、前記制御信号により前記映像投射手段を制御し、前記第１の制御手段によって生成された制御信号が入力されない場合には、前記屋内条件データ部に格納されている設定パラメータから制御信号を生成し、生成した制御信号により前記映像投射手段を制御する第２の制御手段とを有することを特徴とする投射型映像表示システム。
【発明の詳細な説明】
【技術分野】
【０００１】
本発明は、映像を投射する投射型映像表示装置に関し、例えば、車内および屋内で使用可能な投射型映像表示装置に関するものである。
【背景技術】
【０００２】
従来の投射型映像表示装置として、図９に示すようなものがあり、この投射型映像表示装置９１５は、制御部９０３と、回転制御回路９０６と、光源９０８および投射装置９０９によって構成される光学系９１２とを備えている。また、投射装置９０９は、モータ９１０およびレンズ系９１１によって構成されている。
【０００３】
投射型映像表示装置９１５は、投射を行う場合、制御部９０３に入力される入力信号９０１は制御部９０３で映像信号に変換して、光学系９１２へ送る。さらに、制御部９０３は投射制御信号９０４を生成して、光学系９１２に送る。光学系９１２で投射制御を行うレンズ系９１１は投射制御信号に従って、投射用映像信号を映像９１３として出力する。
【０００４】
一方、投射型映像表示装置９１５は、投射方向を変更する場合には、リモコンから方向信号９０２を入力し、制御部９０３に送る。制御部９０３は方向信号９０２に従って、投射方向の変更と、方向を指示する回転信号を生成し、回転制御回路９０６に送る。回転制御回路９０６は回転信号に従って、モータ９１０の回転制御を行う回転制御信号を生成し、モータ９１０に送る。モータ９１０は回転制御信号に従って、モータ９１０、レンズ系９１１で構成される投射装置９０９を、光源９０８の中心に位置する軸９１４を中心に回転させる。このように、投射型映像表示装置９１５は、スクリーンの設置場所がユーザによって任意の位置に変更された場合、投射方向変更機能、回転機能によって投射方向の調節がされて大画面で投射できる。また、投射型映像表示装置９１５は、搭載している車から取外しが可能であり、任意の場所で用いることもできる（例えば特許文献１参照）。
【特許文献１】特開平１０−３０１２００号公報
【発明の開示】
【発明が解決しようとする課題】
【０００５】
しかしながら、従来の投射型映像表示装置においては、ユーザによって投射位置が変更された場合に、投射条件等の細かい設定の調整があり、実際に映像を観るまでに時間がかかってしまうという問題があった。
【０００６】
本発明は、従来の問題を解決するためになされたもので、ユーザによって投射位置が変更された場合であっても、投射条件等の細かい設定の調整の必要をなくし、時間をかけずに映像を観ることのできる投射型映像表示装置を提供することを目的とする。
【課題を解決するための手段】
【０００７】
本発明に係る投射型映像表示装置は、設置状態を検出する設置検出手段と、スクリーンに映像を投射する映像投射手段と、前記設置状態に対応した設定パラメータを格納する設定格納手段と、前記設定格納手段を参照し、前記設置検出手段によって検出された設置状態に対応する設定パラメータに基づいて制御信号を生成する制御手段とを備え、前記制御手段によって生成された制御信号により前記映像投射手段を制御するよう構成している。
【０００８】
この構成により、設置検出手段によって検知された設置情報に基づいて、設定格納手段に格納された設定パラメータから投射条件を変更することができるため、投射条件等の細かい設定の調整の必要をなくし、時間をかけずに映像を観ることができる。
【０００９】
また、本発明に係る投射型映像表示装置は、前記映像投射手段は、映像信号を生成する映像信号生成部と、投射光を生成する投射光生成部とを有し、前記制御手段は、前記制御信号により映像信号生成部および投射光生成部を制御するよう構成している。
【００１０】
この構成により、投射に適した映像信号を生成でき、投射信号によって設置状態に合った投射光を生成することができる。
【００１１】
また、本発明に係る投射型映像表示装置は、ファンを駆動する駆動モータ部をさらに有する構成している。
【００１２】
この構成により、映像信号の設定を変更するだけでなく、駆動モータ部等の装置内部の動作を変更でき、省エネルギー化、騒音削減を計ることができる。
【００１３】
また、本発明に係る投射型映像表示装置は、前記設定格納手段には、初期データとして既に設定パラメータが格納されているよう構成している。
【００１４】
この構成により、必要な設定の大部分はなされるので、投射方向の設定等の大きな設定の必要をなくすことができる。
【００１５】
また、本発明に係る投射型映像表示装置は、前記設定格納手段に既に格納されている設定パラメータの変更および前記設定格納手段への新たな設定パラメータの追加のうち少なくともいずれか一方を行う設定変更入力手段を有する構成している。
【００１６】
この構成により、投射条件に関する投射パラメータを直したいときには設定パラメータを変更および追加することができ、次回からはその設定した投射条件を使用することができる。
【００１７】
また、本発明に係る投射型映像表示装置は、前記設定格納手段には、少なくとも透過型および反射型のスクリーンのうちいずれか一方に対応した設定パラメータが格納されているよう構成している。
【００１８】
この構成により、投射型映像表示装置を決められた位置に設置するだけで、投射方向の設定をする手間を省くことができる。
【００１９】
また、本発明に係る投射型映像表示装置は、前記設定格納手段に前記駆動モータ部の回転速度に対応した設定パラメータが格納されているよう構成している。
【００２０】
この構成により、騒音が少ない静かな環境ではファンの速度を遅くして静音を重視し、周りの温度が影響する環境においてはファンの速度を上げて各部分を冷やすことを重視することができるように設置環境に応じたファンの設定が投射型映像表示装置の設置によって自動的に設定できる。
【００２１】
また、本発明に係る投射型映像表示装置は、前記設定格納手段に映像を投射する際の明るさのパラメータを含めた設定パラメータが格納されているよう構成している。
【００２２】
この構成により、投射方法、周りの明るさを考慮した投射型映像表示装置の明るさを、設定パラメータにより設置することによって自動的に設定できる。
【００２３】
また、本発明に係る投射型映像表示装置は、前記設定格納手段に映像を投射する際の焦点距離のパラメータを含めた設定パラメータが格納されているよう構成している。
【００２４】
この構成により、投射型映像表示装置を決められた位置に設置することで焦点距離を手動で変更する必要がなくなる。
【００２５】
また、本発明に係る投射型映像表示装置は、前記設定格納手段に映像を投射する際の台形補正のパラメータを含めた設定パラメータが格納されているよう構成している。
【００２６】
この構成により、他用途で使用した後でも規定の位置に設置することで、台形補正のパラメータの変更を行う必要がなくなる。
【００２７】
また、本発明に係る投射型映像表示方法は、スクリーンに映像を投射する投射型映像表示方法であって、投射型映像表示装置の設置状態に対応した設定パラメータを格納する設定格納ステップと、前記投射型映像表示装置の設置状態を検出する検出ステップと、前記検出ステップにおいて検出された設置状態に対応した設定パラメータを参照し、参照した設定パラメータに基づいて、前記スクリーンに映像を投射する映像投射手段を制御する制御ステップとを含むよう構成している。
【００２８】
この構成により、投射型映像表示装置を決められた位置に設置するだけで設置状態に対応した制御が可能となる。
【００２９】
また、本発明に係る投射型映像表示システムは、スクリーンに映像を投射する投射型映像表示装置と、車両に設けられ、前記投射型映像表示装置の設置状態を検出する設置検出装置とを備えた投射型映像表示システムであって、前記設置検出装置は、前記投射型映像表示装置の前記車両への設置状態を検出する設置検出手段と、前記設置状態に対応した設定パラメータを格納する自動車条件データ部と、前記自動車条件データ部を参照し、前記設置検出手段によって検出された設置状態に対応する設定パラメータに基づいて制御信号を生成する第１の制御手段とを有し、前記投射型映像表示装置は、前記スクリーンに映像を投射する映像投射手段と、屋内の設置状態に対応した設定パラメータを格納する屋内条件データ部と、前記第１の制御手段によって生成された制御信号が入力された場合には、前記制御信号により前記映像投射手段を制御し、前記第１の制御手段によって生成された制御信号が入力されない場合には、前記屋内条件データ部に格納されている設定パラメータから制御信号を生成し、生成した制御信号により前記映像投射手段を制御する第２の制御手段とを有するよう構成している。
【００３０】
この構成により、自動車ごとに設定パラメータを有しているので、ユーザが各自動車に投射型映像表示装置を設置することによって、自動車ごとの設置状態に対応した投射制御信号を投射型映像表示装置に送信することができる。このため、複数の自動車で投射型映像表示装置を使用する場合であっても、自動車ごとの設置状態に対応した制御が可能となる。
【発明の効果】
【００３１】
本発明の投射型映像表示装置によれば、設置状態に応じて設定を切り換える機能を設けることにより、投射条件等の細かい設定の調整の必要をなくし、時間をかけずに映像を観ることのできる投射型映像表示装置を提供することができるものである。
【発明を実施するための最良の形態】
【００３２】
以下、本発明の実施の形態について、図面を参照して説明する。
（第１の実施の形態）
図１は、本発明の第１の実施の形態の投射型映像表示装置を自動車等の車両に設置した場合の概略図である。
【００３３】
図１において、自動車１０１は、投射型映像表示装置１０２と、投射型映像表示装置１０２に接続可能になっており、映像を投射型映像表示装置１０２に供給する映像源１０８と、投射型映像表示装置１０２に接続可能になっており、電源を投射型映像表示装置１０２に供給する電源１０７と、投射型映像表示装置１０２に対して進行方向側に設置された反射型スクリーン１０３と、ハッチバック付近に設置された透過型スクリーン１０４とを備えている。
【００３４】
例えば、自動車１０１の車内にいる鑑賞者１０５は、反射型スクリーン１０３の方向、すなわち自動車１０１の進行方向側を向いて鑑賞することができ、一方、自動車１０１の屋外にいる鑑賞者１０６は、透過型スクリーン１０４の方向、すなわち自動車１０１の進行方向側を向いて鑑賞することができる。
【００３５】
また、上述の説明においては、投射型映像表示装置１０２を自動車１０１に設置して使用する自動車使用形態について説明したが、投射型映像表示装置１０２のその他の使用形態として、図示しない建物等の屋内の任意の位置に設置して、屋内等に設けられた図示しない反射型スクリーンに投射して使用する屋内使用形態等がある。なお、映像源１０８は、カーナビやＤＶＤレシーバー等から構成され、投射型映像表示装置１０２に映像を供給できるものである。
【００３６】
図２は、本発明の第１の実施の形態の投射型映像表示装置の構成を示すブロック図である。
【００３７】
図２において、投射型映像表示装置１０２は、設置状態を検出する設置検出手段２０８と、反射型スクリーン１０３および透過型スクリーン１０４（図１参照）に映像を投射する映像投射手段２１３と、設置状態に対応した設定パラメータを格納する設定格納手段２０９と、設定格納手段２０９を参照し、設置検出手段２０８によって検出された設置状態に対応する設定パラメータに基づいて制御信号を生成する制御手段２０３とを備え、制御手段２０３によって生成された制御信号により映像投射手段２１３を制御するようなっている。さらに、投射型映像表示装置１０２は、設定格納手段２０９に既に格納されている設定パラメータの変更および設定格納手段２０９に新たな設定パラメータの追加のうち少なくともいずれか一方を行う設定変更入力手段２１４を有している。
【００３８】
上述のように構成された投射型映像表示装置１０２においては、図２に示すように、映像源１０８からの映像信号２０２は、投射、映像の制御を行う制御手段２０３により、映像信号生成部２０４、投射光生成部２１０の順に送られる。一方、設置情報の入力２０５は、設置検出手段２０８で検出され、制御手段２０３は、設定格納手段２０９に格納されている設定パラメータを参照し、参照した設定パラメータに基づいて投射制御信号を生成し、生成した投射制御信号を投射光生成部２１０、駆動モータ部２１１に送る。２１２は、投射光生成部２１０から投射される映像である。また、新しく設定を行った場合の入力２０６は、映像信号生成部２０４、投射光生成部２１０および設定格納手段２０９に送られ、記憶ボタン入力２０７によって設定格納手段２０９に格納されている設定パラメータが変更される。
【００３９】
設置検出手段２０８は、電源が入ったときに設置情報２０５が入力され、投射型映像表示装置１０２の設置状態を検出するようになっている。設置検出手段２０８は、投射型映像表示装置１０２が車内および屋内のうちいずれに設置されているか否かを検出する車屋内検出部と、自動車１０１のフロント側およびリア側のうちいずれの方向に設置されているか否かを検出する設置方向検出部と、さらに、複数の自動車のうちいずれの自動車に設置されているか否かを検出する自動車検出部等を有している。車屋内検出部は、例えば後述する自動車１０１から電源を供給可能な専用の電源供給端子が繋がることによって通電された場合には、自動車１０１に設置されていることを検出するようになっており、一方、専用の電源供給端子以外から電源が供給された場合には、屋内に設置されていることを検出するようになっている。設置方向検出部および自動車検出部は、後述する。なお、設置検出手段２０８は、上述のような設置状態を識別することができるものであれば、どのようなものであってもよい。
【００４０】
映像投射手段２１３は、映像信号を生成する映像信号生成部２０４と、投射光を生成する投射光生成部２１０とを有している。映像信号生成部２０４は、映像源１０８から映像信号が入力され、入力された映像信号を制御手段２０３によって生成された制御信号により投射に適した映像信号に変換し、投射光生成部２１０へ転送する。投射光生成部２１０は、映像信号生成部２０４からの映像信号と、制御手段２０３によって生成された制御信号に基づいて映像２１２として反射型スクリーン１０３および透過型スクリーン１０４（図１参照）に投射する。駆動モータ部２１１は、図示しない冷却ファンを駆動し制御手段２０３によって生成された制御信号によりファンの回転速度が調節されるようになっている。
【００４１】
設定格納手段２０９には、少なくとも反射型スクリーン１０３および透過型スクリーン１０４（図１参照）のうちいずれか一方に対応した設定パラメータが格納されている。また、設定格納手段２０９には、駆動モータ部２１１の回転速度を表す設定パラメータと、映像を投射する際の明るさを表す投射パラメータと、映像を投射する際の焦点距離を表す投射パラメータと、映像を投射する際の台形補正のパラメータを表す投射パラメータ等がさらに格納されている。これらの設定パラメータは、初期データとして既に格納されていてもよく、また後述する設定変更入力手段２１４によって、初期データとして設定パラメータを入力するようにしてもよい。
【００４２】
制御手段２０３は、設定格納手段２０９を参照し、設置検出手段２０８によって検出された設置状態に対応する設定パラメータに基づいて制御信号を生成するようになっている。この制御手段２０３は、映像信号生成部２０４、投射光生成部２１０および駆動モータ部２１１を制御する制御信号をそれぞれ生成するようになっている。このように、制御手段２０３によって生成された制御信号は、映像に関する制御信号が映像信号生成部２０４へ、投射に関する制御信号が投射光生成部２１０へ、投射型映像表示装置１０２のモータ等内部に関する制御信号が駆動モータ部２１１へそれぞれ出力される。また、制御手段２０３は、設置検出手段２０８によって出力された設置情報に基づいて、車内および屋内のいずれかの設置であるかの判定、各自動車の判定および自動車１０１内での投射型映像表示装置１０２の設置方向の判定を行う。また、この設置情報がない場合に、制御手段２０３は屋内と判定する。
【００４３】
設定変更入力手段２１４は、装置本体に設けられ、表示部と入力部によって構成されている。入力部を構成する投射型映像表示装置１０２のメニューやレンズ周辺にある調整リングによって、ユーザが好みに応じて映像投射手段２１３の動作を調節可能になっている。また、この調節後の動作に対応する設定パラメータを記憶する場合には、例えば入力部を構成する記憶ボタンを選択することによって、調節後の設定パラメータを設定格納手段２０９に変更又は追加するよう格納するようになっている。さらに、設定変更入力手段２１４は、ユーザによって調節された調節後の設定パラメータを設定格納手段２０９に記憶する際に、新規に追加するか、既に格納されている設定パラメータを新規の設定パラメータに変更するか否か、又は新しい設定パラメータとして記憶させるかを選択する選択ボタンを備えている。さらに、この選択ボタンは、既に格納されている設定パラメータを変更する際には、不要な設定パラメータを選択して書き換えができるようになっている。
【００４４】
図３は、本発明の第１の実施の形態の投射型映像表示装置の設置に関する説明図であり、図３（ａ）は、投射型映像表示装置および自動車の天井の概略側面図であり、図３（ｂ）は、投射型映像表示装置および自動車の天井のそれぞれの接合部分を見開いた状態の概略平面図である。図４は、図３のその他の態様を示す概略側面図である。
【００４５】
図３（ａ）および図３（ｂ）に示すように、投射型映像表示装置１０２には、凸部３０４および接続端子凸部３０５がそれぞれ形成され、一方、受け側である天井３０７には、接続端子凹部３０１、リア側凹部３０２およびフロント側凹部３０３が形成されている。ここで、接続端子凹部３０１および接続端子凸部３０５の一部に投射型映像表示装置１０２に電源を供給する図示しない電源供給端子が設けられている。また、接続端子凹部３０１には、接続端子凸部３０５が嵌め込まれるようになっており、それぞれの端子が接続されることによって通電し、電源の供給などが可能になるともに、設置検出手段２０８が自動車１０１に設置されたことを検出するようになっている。このように、ユーザは、投射型映像表示装置１０２を天井３０７に取り付け、投射型映像表示装置１０２に設けられた電源スイッチをオンにすることによって、投射型映像表示装置１０２の電源がオン状態になる。さらに、投射型映像表示装置１０２をフロント側に向けて天井３０７に設置する場合には、凸部３０４がフロント側凹部３０３に嵌め込まれるようになっており、一方、投射型映像表示装置１０２をリア側に向けて天井３０７に設置する場合には、凸部３０４がリア側凹部３０２に嵌め込まれるようになっている。
【００４６】
また、投射型映像表示装置１０２が自動車１０１のフロント側を向いているか、リア側を向いているか否かを検出する設置方向検出部は、例えば、投射型映像表示装置１０２の凸部３０４の上部先端に設けられ、フロント側に向いているか否かを判定させるための判定ボタン３０９と、天井３０７側のフロント側凹部３０３に形成され、判定ボタン３０９が嵌合可能なように天井凹部３０８とによって構成されている。このように、凸部３０４に判定ボタン３０９を設けるとともに、リア側凹部３０２およびフロント側凹部３０３のうちいずれか一方の凹部に天井凹部３０８を形成することによって、投射型映像表示装置１０２が、フロント側に向いているか否かを判定できるようになっている。したがって、判定ボタン３０９が設置により押下された場合には、設置検出手段２０８がリア側に向いていることを検出することができるようになっている。また、判定ボタン３０９が天井凹部３０８に嵌合することによって押下されない場合には、設置検出手段２０８がフロント側に向いていることを検出できるようになっている。
【００４７】
なお、図３（ａ）および図３（ｂ）に示したように、投射型映像表示装置１０２がフロント側を向いているか、リア側を向いているか否かを判定するため、天井凹部３０８および判定ボタン３０９を設けているが、これに代えて、図４に示すように、それぞれ異なる抵抗値を有する抵抗３１０、３１１を自動車１０１の天井３０７に設けてよい。この場合、電圧値の違いを設置検出手段２０８が検出することによって投射型映像表示装置１０２がフロント側を向いているか、リア側を向いているか否かを判定することができるとともに、設置がされているか否かも電気的変化により判定することもできるようになる。
【００４８】
また、投射型映像表示装置１０２および自動車１０１の天井３０７には、各自動車を識別する自動車検出部が設けられている。この自動車検出部は、天井３０７の投射型映像表示装置１０２が取り付けられる面の一部に設けられたバーコードと、バーコードの取り付け箇所に対応する投射型映像表示装置１０２の箇所に設けられたバーコードリーダーとによって構成されている。このように、バーコードリーダーがバーコードを読み取ることによって、各々の自動車を識別するようになっている。バーコードリーダーは、光源から出た光を集光してバーコードを照射し、反射した光を集光して光センサが検知して電気信号に変換し、予め決められているパターンと照合して各自動車を識別するようになっている。このように、バーコードを用いて各自動車を識別しているが、これに限らず、バーコードを読み取ることができたか否かや、バーコードのデータ内容やデータ記録方向、さらにはフロント側、リア側の両方に別のバーコードを設置する等によって、投射型映像表示装置１０２がフロント側およびリア側のうちいずれの方向を向いているのかを識別するようにしてもよい。
【００４９】
また、このバーコードを用いて自動車検出部の構成に代えて、ＩＣチップを自動車１０１側に設け、リーダーを投射型映像表示装置１０２に設けることによって、各自動車および設置方向の識別する構成にしてもよい。
【００５０】
次に、設定格納手段に格納されている設定パラメータについて図８を用いて説明する。図８は、本発明の投射型映像表示装置における設定パラメータの設定項目、設定値の一例を示す表である。
【００５１】
図８において、複数の自動車の車内で投射型表示装置を使用するため、それぞれの自動車１および自動車２の設置状態に対応した投射条件が示され、一方、屋内で使用するため、屋内の設置状態に対応した投射条件が示され、さらに、それぞれの自動車毎に投射型映像表示装置１０２をフロント側およびリア側の方向に向けて設置した設置状態の投射条件が示されている。ここで、自動車２の投射条件は、新たに追加された投射条件であって、ユーザによって投射条件等が調節された後、記憶ボタンを押下する等して、新たに書き換えられた投射条件を示している。なお、図８における表の設置条件やパラメータ等は、例示にすぎず、これに限定されるものではない。したがって、当該表中における項目やこの項目における数値等は、設置環境に応じて適宜変更されるものであり、さらに、自動車１および自動車２の投射条件に限らず、複数の自動車に対応した投射条件を設けてもよい。
【００５２】
また、設置状態に対応した設定パラメータは、自動車毎および屋内に応じて設定値があり、さらに自動車毎にフロント、リアに応じて設定値がある。また、自動車に設置して利用する際、スクリーンの投射方式として、フロントに向けて投射する場合には、反射型投射方式を用い、リアに向けて投射する場合には、透過型投射方式を用いているため、投射映像が左右反転する構成になっている。また、自動車に設置する場合と、屋内に設置する場合とでは、投射映像が上下反転した構成になっている。
【００５３】
焦点距離は、それぞれのパターンに合う距離に設定され、自動車のフロント方向では距離がとれないことから焦点距離１．１(m)の３０型で、リア方向では２．０(m)の６０型である。
【００５４】
ファンのまわす速度は、温度が影響する自動車などの環境においてそれを考慮してファンの速度を速めに設定し、静かさを求める屋内などの環境ではファンの騒音を考慮して速度は遅めに設定されている。
【００５５】
明るさは、周囲の状況、投射方式を考慮して設定され、周囲が明るい自動車のフロント方向では７００(lm)、リア方向では１０００(lm)、周囲を暗くすることができる屋内では５００(lm)とした。明るさは、ランプの出力の制御、フィルタの利用によって調整される。
【００５６】
投射映像の台形補正のパラメータを表す設定パラメータは、スクリーンの位置と投射型映像表示装置１０２の設置位置を考慮して設定されている。自動車のフロント方向に投射する場合、投射型映像表示装置１０２がスクリーンより上の位置にあって上部の映像が下部より小さくなってしまうので、補正量を＋１０とプラスに大きく設定している。また、机の上などに置くことができる屋内では補正量を＋２と小さくしている。
【００５７】
なお、上述した投射条件以外に、電源の切れる時間を調節する条件を設けてもよく、この場合、各設定状態に対応した電源の切れる時間を表す設定パラメータを設定格納手段２０９に格納する。また、この設定パラメータは、自動車内で使用する場合に、屋内で使用する場合より電源を早く落とすように設定し、停止状態が続いたときに速めに待機状態にするように設定する。このように、電源の切れる時間を調節することによって自動車での使用時の省エネルギー化が図られている。
【００５８】
以上のように構成された投射型映像表示装置１０２の設置検出から制御信号が出力されるまでの投射制御動作について、図５を用いて説明する。
【００５９】
図５は、本発明の第１の実施の形態の投射型映像表示装置における投射制御動作を説明するためのフロー図である。
【００６０】
まず、利用者によって投射型映像表示装置１０２が設置され（ステップＳ１）、投射映像表示装置の電源スイッチがオンになったか否かが判定される（ステップＳ２）。そして、電源スイッチがオンになったと判定された場合には、設置検出手段２０８によって設置が検出され（ステップＳ３）、設置情報があるか否かが判定される（ステップＳ４）。一方、ステップＳ３で電源がオンになっていないと判定された場合には、操作を行わずに終了する。
【００６１】
次に、ステップＳ４において、設置検出手段２０８によって設置情報がありと判定された場合には、自動車が識別され（ステップＳ５）、対応する自動車の設定パラメータを参照し、設定格納手段２０９から設置状態に対応する設定パラメータを取得する（ステップＳ６）。一方、設置検出手段２０８によって設置情報がないと判定された場合には、屋内の設定パラメータを参照し、設定格納手段２０９から設定パラメータを取得する（ステップＳ９）。さらに、ステップＳ６およびステップＳ９において、取得した設定パラメータに基づいて投射制御信号が生成され（ステップＳ７）、生成された投射制御信号が出力される（ステップＳ８）。
【００６２】
次に、入力部を介してユーザによって投射条件が調節されてから投射条件パラメータが書き換えられるまでの書き換え動作について図６を用いて説明する。
【００６３】
図６は、本発明の第１の実施の形態の投射型映像表示装置における書き換え動作を説明するためのフロー図である。
【００６４】
ユーザが入力部を介して投射条件が調節されたか否かが判定され（ステップＳ１１）、投射条件が調節された場合には、投射制御信号が生成され（ステップＳ１２）、生成された投射制御信号が、映像投射手段２１３に出力される（ステップＳ１３）。そして、設定格納手段２０９に調節した投射条件に対応する設定パラメータを設定格納手段２０９に記憶することを選択されたか否かが判定され（ステップＳ１４）、設定格納手段２０９に設定パラメータを記憶することが選択された場合には、既に設定格納手段２０９に格納された設定パラメータの書き換えを行い（ステップＳ１５）、一方、設定格納手段２０９に設定パラメータを記憶することが選択されない場合には、書き換えを行わずに終了する。ここで、ステップＳ１５における設定パラメータの記憶の選択は、記憶ボタンをユーザによって押下や選択されたか否かに基づいて判定するようにしてもよい。この記憶の選択は、バーコードリーダー等によってまだ記憶していないＩＤを取得した場合に、ユーザに選択させるようにしてもよい。また、設定格納手段２０９に設定パラメータを記憶することを選択する際には、投射型映像表示装置１０２に設けられた記憶ボタンを押すことで、記憶ボタンの入力が制御手段２０３に送られ、新しい投射条件が設定格納手段２０９に転送される。また、この書き換えられた設定パラメータは、設置検出手段２０８からの情報に基づいて投射制御信号として出力される。また、上記で説明した動作を記述したプログラムを制御手段２０３を構成するＣＰＵに実行させるようにしてもよい。
【００６５】
このような本発明の第１の実施の形態の投射型映像表示装置１０２によれば、投射条件等の細かい設定の調整の必要をなくすことができる。具体的には、設置検出手段２０８、設定格納手段２０９を設けることにより、投射型映像表示装置１０２を設置することで設置検出情報に基づいて設定パラメータから投射条件を自動で設定することができる。また、必要に応じて設定パラメータを現状況のデータと置き換えができ、新しい投射条件を設定格納手段２０９に格納することもできる。このため、自動車が変わった場合でも自動車内の決められた場所であれば、１度の設定のみで次からは投射条件を設定しなくてもよく、煩わしさを軽減し、時間をかけずに映像を観ることができる。
【００６６】
なお、設置検出手段２０８は、上記の構成に代えて、設置状態を区別することができるものであれば、同様の効果を得ることができる。
【００６７】
また、本実施の形態においては、複数の自動車を識別するため、ＩＤを用いているが、これ以外に識別する手段であっても同様の効果を得ることができる。
【００６８】
上述した第１の実施の形態の投射型映像表示装置１０２においては、設置を検出する設置検出手段２０８および自動車毎の投射条件に対応した設定パラメータを格納した設定格納手段２０９が投射型映像表示装置１０２側に設けられているが、設置検出手段２０８および設定格納手段２０９が自動車側に設けられた投射型映像表示システムであってもよい。以下、この投射型映像表示システムについて説明する。
（第２の実施の形態）
図７は、本発明の第２の実施の形態の投射型映像表示システムの構成を示すブロック図である。なお、前述した第１の実施の形態と同一の構成については、同一の符号を付してその説明を省略する。
【００６９】
図７において、投射型映像表示システム２５０は、スクリーンに映像を投射する投射型映像表示装置２５１と、車両に設けられ、投射型映像表示装置２５１の設置状態を検出する設置検出装置２６１とを備えている。
【００７０】
設置検出装置２６１は、投射型映像表示装置２５１の車両への設置状態を検出する設置検出手段２０８と、設置状態に対応した設定パラメータを格納する自動車条件設定格納部２６２と、自動車条件設定格納部２６２を参照し、設置検出手段２０８によって検出された設置状態に対応する設定パラメータに基づいて投射パラメータ等の制御信号を生成する制御手段２６３とを有している。
【００７１】
一方、投射型映像表示装置２５１は、スクリーンに映像を投射する映像投射手段２１３と、屋内の設置状態に対応した設定パラメータを格納する屋内条件設定格納部２５２と、制御手段２６３によって生成された制御信号が入力された場合には、入力された制御信号により映像投射手段２１３を制御し、制御手段２６３によって生成された制御信号が入力されない場合には、屋内条件設定格納部２５２に格納されている設置パラメータから投射パラメータ等の制御信号を生成し、生成した制御信号により映像投射手段２１３を制御する制御手段２５３とを有している。
【００７２】
自動車条件設定格納部２６２には、複数の自動車で投射型表示装置を使用するため、それぞれの自動車ごとの投射条件のパラメータ等に対応する設定パラメータが格納されており、一方、屋内条件設定格納部２５２には、屋内の投射条件のパラメータ等に対応する設定パラメータが格納されている。
【００７３】
上述したような、投射型映像表示システム２５０の動作について次に説明する。まず、設置情報は自動車側に入力されて設置検出手段２０８に送られ、自動車内での投射型映像表示装置２５１の設置方向が判定される。投射型映像表示装置２５１の取り付け位置は一例として天井３０７である。この判定された情報は自動車側の制御手段２６３によって自動車条件設定格納部２６２に転送され、投射制御信号が決定される。この決定された投射制御信号２７１は、投射型映像表示装置２５１の制御手段２５３に送られ、投射光生成部２１０、映像信号生成部２０４へ転送される。また、投射制御信号２７１が制御手段２５３に送られない場合は、屋内として屋内条件設定格納部２５２の設定パラメータから投射パラメータ等が投射制御信号として投射光生成部２１０、映像信号生成部２０４へ送られる。投射光生成部２１０は第１の実施の形態と同様に投射制御信号に従って、映像信号を映像２１２としてスクリーンに投射する。
【００７４】
また、新しく投射条件が設定された場合は、調節された信号２０７によって新しい投射条件が入力されて投射制御信号が生成され、投射制御信号が出力されるとともに、自動車条件設定格納部２６２に格納された設定パラメータが書き換えられる。なお、この投射条件データを置き換えるときには、投射型映像表示装置の制御手段２５３によって自動車側の制御手段２６３に送られ、自動車条件設定格納部２６２に転送されて、その自動車に関する投射条件パラメータとして設定される。
【００７５】
以上のように本発明の第２の実施の形態の投射型映像表示システム２５０によれば、投射型映像表示装置２５１に制御手段２５３、屋内条件設定格納部２５２、自動車側に設置検出手段２０８、制御手段２６３、自動車条件設定格納部２６２を設けることにより、複数の自動車で投射型映像表示装置２５１を利用する場合であっても、設置によって投射型映像表示装置２５１に投射制御信号が送信されるので、どの自動車かを投射型映像表示装置２５１側で判定する必要がなくなり、利用範囲が広がる。
【００７６】
なお、設置検出手段２０８は、第１の実施の形態に記載の設置検出手段と同一であるが、設置の方向が判断できる構成であればどのような構成であってもよく、同様の効果が得られる。
【００７７】
また、自動車側の設置検出手段２０８、制御手段２６３、自動車条件設定格納部２６２は自動車のどの部分に取付けても同様の動作をするものである。
【産業上の利用可能性】
【００７８】
以上のように、本発明にかかる投射型映像表示装置は、設置状態に応じて設定を切り換える機能を設けることにより、投射条件等の細かい設定の調整の必要をなくし、時間をかけずに映像を観ることのできるという効果を有し、車内および屋内で使用可能な投射型映像表示装置等として有用である。
【図面の簡単な説明】
【００７９】
【図１】本発明の第１の実施の形態の投射型映像表示装置を自動車等の車両に設置した場合の概略図
【図２】本発明の第１の実施の形態の投射型映像表示装置の構成を示すブロック図
【図３】（ａ）本発明の第１の実施の形態の投射型映像表示装置および自動車の天井の概略側面図  （ｂ）本発明の第１の実施の形態の投射型映像表示装置および自動車の天井のそれぞれの接合部分を見開いた状態の概略平面図
【図４】図３のその他の態様を示す概略側面図
【図５】本発明の第１の実施の形態の投射型映像表示装置における投射制御動作を説明するためのフロー図
【図６】本発明の第１の実施の形態の投射型映像表示装置における書き換え動作を説明するためのフロー図
【図７】本発明の第２の実施の形態の投射型映像表示システムの構成を示すブロック図
【図８】本発明の第１の実施の形態および第２の実施の形態の投射型映像表示装置および投射型映像表示システムにおける設定パラメータの設定項目、設定値の一例を示す表
【図９】従来の投射型映像表示装置のブロック図
【符号の説明】
【００８０】
１０１  自動車
１０２  投射型映像表示装置
１０３  反射型スクリーン
１０４  透過型スクリーン
１０７  電源
１０８  映像源
２０３  制御手段
２０４  映像信号生成部
２０８  設置検出手段
２０９  設定格納手段
２１０  投射光生成部
２１１  駆動モータ部
２１３  映像投射手段
２１４  設定変更入力手段
２５０  投射型映像表示システム
２５１  投射型映像表示装置
２５２  屋内条件設定格納部
２５３  制御手段（第２の制御手段）
２６１  設置検出装置
２６２  自動車条件設定格納部
２６３  制御手段（第１の制御手段）
３０１  接続端子凹部
３０２  リア側凹部
３０３  フロント側凹部
３０４  凸部
３０５  接続端子凸部
３０７  天井
３０８  天井凹部
３０９  判定ボタン
３１０、３１１  抵抗
【図１】
2006106579.tif 000003
【図２】
2006106579.tif 000004
【図３】
2006106579.tif 000005
【図４】
2006106579.tif 000006
【図５】
2006106579.tif 000007
【図６】
2006106579.tif 000008
【図７】
2006106579.tif 000009
【図８】
2006106579.tif 000010
【図９】
2006106579.tif 000011